Podtech/llm-jp-corpus-v4-ja_patent huggingface dataset:
【手続補正書】
【提出日】平成18年8月1日(2006.8.1)
【手続補正１】
【補正対象書類名】明細書
【補正対象項目名】請求項３
【補正方法】変更
【補正の内容】
【請求項３】前記粉粒体は、１）石灰質を主成分とする消石灰、生石灰、２）珪酸質を主成分とする珪砂、フライアッシュ、シリカフューム、ガラス、粘土、珪藻土、３）石灰質と珪酸質とを主成分とするセメント、セメント副産物（γ―Ｃ２Ｓ）、高炉水砕スラグ、生コンスラッジ、コンクリート、またはセメント系２次製品、に記載の粉粒体の１種または２種以上を用い、必要に応じて石灰質及び／または珪酸質を添加したものである請求項１または２記載の炭酸硬化体の製造方法。【手続補正２】
【補正対象書類名】明細書
【補正対象項目名】００１２
【補正方法】変更
【補正の内容】
【００１２】原料粉粒体は、石灰質を主成分とするもの、珪酸質を主成分とするもの、石灰質と珪酸質とを主成分とするものであれば特に制限はされない。石灰質を主成分とする粉粒体は、消石灰、生石灰がある。また、珪酸質を主成分とする粉粒体は、珪砂、フライアッシュ、シリカフューム、ガラス、粘土、珪藻土等がある。さらに、石灰質と珪酸質とを主成分とする粉粒体は、セメント、セメント副産物（γ―Ｃ２Ｓ）、高炉水砕スラグ、生コンスラッジ、コンクリート、またはセメント系２次製品（ＡＬＣ（軽量気泡コンクリート）、ケイカル板、サイディング）等がある。これらの中では、フライアッシュ、コンクリート廃材、セメント系２次製品の廃材等の産業廃棄物を利用することがリサイクルの観点から好ましく、さらに石灰質成分の多いコンクリート廃材においては、炭酸化によって生成される炭酸カルシウム量が増加するため、材料強度の高い炭酸硬化体を得ることができるようになり、より望ましい。なお、原料粉粒体には、石灰質および珪酸質以外の成分が含有されていても良い。
【手続補正書】
【提出日】平成17年12月16日(2005.12.16)
【手続補正１】
【補正対象書類名】明細書
【補正対象項目名】００１１
【補正方法】変更
【補正の内容】
【００１１】
各支持フレーム４は、断面が円形をした１本のアルミ製パイプ材を曲線的に折曲して、図２に示されるように右側を車椅子１の前進方向とした側面形状が「の」字に近似する螺旋形状に形成されている。すなわち、各支持フレーム４は、一端部４ａと他端部４ｂとを有し、一端部４ａは座席部５の下面に連結されて該座席部５を支持している。各支持フレーム４は、一端部４ａから車椅子１の前進方向（図２に矢印１３で示す方向）とは反対側の後方下側へ延出し、車軸２に近接してその下側を通り、座席部５の後方から上側へ湾曲しながら延出する、下向きに凸状の第１円弧状部分４１と、座席部５の後方から上側へ延出し、座席部５より上側の側部を通ってアームレスト部４ｃを形成し、前進方向１３の下側へ延出する、上向きに凸状の第２円弧状部分４２とを備えている。
【手続補正２】
【補正対象書類名】明細書
【補正対象項目名】００１２
【補正方法】変更
【補正の内容】
【００１２】
アルミ製パイプ材を曲線的に折曲し、側面形状が「の」字に近似する螺旋形状に各支持フレーム４を形成するとき、図１に示されるように、一端部４ａから第１円弧状部分４１を形成して第２円弧状部分４２のアームレスト部４ｃへ至る部分までは、例えばコイルのように外側（後輪側）へ若干張り出すように螺旋状に形成されている。このような形状にすることにより、各支持フレーム４がアームレスト部４ｃを形成し、かつそれらの内側に配置された座席部５を各支持フレーム４の一端部４ａで支持でき、しかも必要な車幅が得られ、その結果として各支持フレーム４の他端部４ｂに前輪７を取り付けることができる。
【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】
被検体に静磁場を与える静磁場発生手段と、被検体に傾斜磁場を与える傾斜磁場発生手段と、前記被検体に核磁気共鳴を起こさせるための高周波磁場を照射する送信系と、前記被検体から核磁気共鳴により放出されるエコー信号を検出する受信系と、この受信系により得られたエコー信号を用いて画像再構成演算を行う信号処理系と、この信号処理系により得られた静止画像及び動態画像である透視画像を表示する表示手段と、操作者の指示を受けつける入力手段と、前記傾斜磁場発生手段、送信系、受信系、信号処理系及び表示手段の動作を制御する制御手段とを備える磁気共鳴イメージング装置において、
前記制御手段は、
前記被検体の透視対象断面領域を撮像させて前記表示手段に表示させ、
前記入力手段を介して入力された指示に従って、前記透視対象断面領域を含む複数の断面静止画像を撮像させて前記表示手段に表示させ、
前記複数の断面静止画像のうち、前記入力手段を介して選択された断面画像を透視対象断面領域として透視させて前記表示手段に表示させることを特徴とする磁気共鳴イメージング装置。
【請求項２】
請求項１記載の磁気共鳴イメージング装置において、前記操作者の指示は、表示手段に表示された指示表示を介して前記制御手段に行われることを特徴とする磁気共鳴イメージング装置。
【請求項３】
請求項１記載の磁気共鳴イメージング装置において、前記操作者の指示は音声入力手段を介して前記制御手段に行われることを特徴とする磁気共鳴イメージング装置。
【請求項４】
請求項３記載の磁気共鳴イメージング装置において、前記操作者の指示は設定したキーワード音声により前記制御手段に行われることを特徴とする磁気共鳴イメージング装置。
【請求項５】
請求項１、２、３のうちのいずれか一項記載の磁気共鳴イメージング装置において、前記透視対象断面領域を含む複数の断面静止画像は、同一透視撮像条件で透視撮像可能な領域内の画像であることを特徴とする磁気共鳴イメージング装置。
【手続補正２】
【補正対象書類名】明細書
【補正対象項目名】００２９
【補正方法】変更
【補正の内容】
【００２９】
【課題を解決するための手段】
上記目的を達成するため、本発明は次のように構成される。
（１）被検体に静磁場を与える静磁場発生手段と、被検体に傾斜磁場を与える傾斜磁場発生手段と、前記被検体に核磁気共鳴を起こさせるための高周波磁場を照射する送信系と、前記被検体から核磁気共鳴により放出されるエコー信号を検出する受信系と、この受信系により得られたエコー信号を用いて画像再構成演算を行う信号処理系と、この信号処理系により得られた静止画像及び動態画像である透視画像を表示する表示手段と、操作者の指示を受けつける入力手段と、前記傾斜磁場発生手段、送信系、受信系、信号処理系及び表示手段の動作を制御する制御手段とを備える磁気共鳴イメージング装置において、前記制御手段は、前記被検体の透視対象断面領域を撮像させて前記表示手段に表示させ、前記入力手段を介して入力された指示に従って、前記透視対象断面領域を含む複数の断面静止画像を撮像させて前記表示手段に表示させ、前記複数の断面静止画像のうち、前記入力手段を介して選択された断面画像を透視対象断面領域として透視させて前記表示手段に表示させる。
【手続補正３】
【補正対象書類名】明細書
【補正対象項目名】００３６
【補正方法】変更
【補正の内容】
【００３６】
さらに、本発明においては、グラフィカルインターフェース中の手術器具等の再検出ボタンによるマルチスライス撮像は、T1もしくはT2、強調画像用プロトコルが前もって登録されており、ボタン又は音声により選択可能である。
【手続補正４】
【補正対象書類名】明細書
【補正対象項目名】００４２
【補正方法】変更
【補正の内容】
【００４２】
また、MRI装置は、術者との意思伝達及び音声オペレーションに用いるマイク３１と、スピーカー３２とを備えている。
【手続補正書】
【提出日】平成17年12月8日(2005.12.8)
【手続補正１】
【補正対象書類名】明細書
【補正対象項目名】００３２
【補正方法】変更
【補正の内容】
【００３２】
上流側の貯留空間が遊技玉で満杯になると、誘導板６３上を転動する遊技玉が誘導板６３の中ほどから中流域の貯留空間に落下して図６（Ｃ）に示すように中流域の貯留空間に遊技玉が貯留される。このとき、中流域の貯留空間と下流側の貯留空間との間の下部には、連通口６８が形成されているので、最初のうちは、連通口６８から下流側の貯留空間に遊技玉が流れるが、貯留される遊技玉が徐々に増加したときに連通口６８が遊技玉に塞がれて中流域の貯留空間に遊技玉が貯留されて満杯となる。さらに、中流域の貯留空間が遊技玉で満杯になると、誘導板６３上を転動する遊技玉が誘導板６３の上流部から下流側の貯留空間に落下して図６（Ｄ）に示すように下流側の貯留空間に遊技玉が貯留される。そして、下流側の貯留空間が遊技玉で満杯になるとそれ以上の遊技玉が貯留できないので、ミニコンベア５４を駆動して貯留空間に貯留される遊技玉を島ユニット１Ｂの貯留タンク３７に返却するようになっている。この点については、後に詳述する。
【手続補正２】
【補正対象書類名】明細書
【補正対象項目名】００４０
【補正方法】変更
【補正の内容】
【００４０】
次に、大当り遊技状態が発生して所定時間が経過したときには、第１表示部３は黄色の表示部が点滅し、第２表示部４は消灯したままであり、発光ランマ９は大当りとなった遊技機１３に対応するものだけがフラッシュ発光（速度の速い点滅）し、それ以外の発光ランマ９は消灯し、呼出ランプ１０は、遊技島１の一端から他端までのものが順次移動点灯するランナー制御され、発光天井ドーム７も大当りとなった遊技機１３に対応するものだけがフラッシュ発光し、それ以外の発光天井ドーム７は消灯し、冷陰極管装置６６も大当りとなった遊技機１３に対応するものだけが点滅し、それ以外の冷陰極管装置６６は消灯し、照明器１０４は、大当りとなった遊技機１３に対応するエリアのものだけが点滅し、それ以外のエリアの照明器１０４は若干暗い状態を維持している（消灯でも良い）。このように大当り遊技状態が発生して所定時間が経過したときには、大当り遊技状態となった遊技機１３に対応する電飾部材のみを点灯又は点滅して大当り遊技状態となった遊技機１３だけを浮かび上がらせるようにしている。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
細長な挿入部の先端側に流体圧アクチュエータによる湾曲部を設けた内視鏡において、
前記流体圧アクチュエータは、
湾曲方向に対応する複数の流体室を構成する透孔を設けたチューブと、
前記チューブの端部に接続される流体室への気体の供給及び排出を行うエアーチューブと、
前記チューブの径方向の膨張を規制する管状部材と、
前記管状部材と前記チューブとの間に配置される薄肉チューブと、
前記薄肉チューブと前記チューブとの間の気体を外部に排出する排気手段
を具備することを特徴とする内視鏡。
【請求項２】
前記排気手段は、前記薄肉チューブに設けたスリットを少なくとも１つ具備することを特徴とする請求項１に記載の内視鏡装置。
【請求項３】
前記排気手段は、前記薄肉チューブに設けた外側と内側を連通する排気孔を少なくとも１つ具備することを特徴とする請求項１に記載の内視鏡装置。
【請求項４】
前記排気手段は、前記薄肉チューブに設けた長手方向に延びる凹凸部を少なくとも１つ具備することを特徴とする請求項１に記載の内視鏡装置。
【請求項５】
前記チューブは、前記透孔を有する複数の分割部から構成され、前記複数の分割部を連結したことを特徴とする請求項１から４のいずれか一項に記載の内視鏡装置。
【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  遊技者に相対する遊技機本体の前面に設けられ、遊技者に提供するべき情報が所定の配列で付された光透過性の表示板と、
前記遊技機本体の内部に設けられ、前記表示板の背後から光をあてて特定の情報を照らし出すランプと、
前記表示板に付された情報の配列に合わせて前記ランプを配列させ、この初期配列の状態で前記ランプを収容可能なランプハウスと、
前記ランプハウスを前記遊技機本体に係止し、この係止状態で前記ランプの初期配列が保持される保持姿勢と前記ランプの初期配列が反転された状態となる反転姿勢との一方に、前記ランプハウスの姿勢を選択的に入れ替え可能な係止手段と
を具備したことを特徴とする遊技機。
【請求項２】  前記ランプハウスは、前記ランプを個々に区画して収容する複数のランプ収容部を含み、これら複数のランプ収容部が互いに異なる形態を有することを特徴とする請求項１に記載の遊技機。
【請求項３】  前記係止手段は前記遊技機本体の複数の係止位置に前記ランプハウスを係止し、かつ、異なる係止位置で共通の前記ランプハウスを係止可能であることを特徴とする請求項１または２に記載の遊技機。
【請求項４】  前記係止手段は、
前記遊技機本体および前記ランプハウスの一方から突出する係止爪と、その他方に形成されて前記係止爪を受け入れ可能な係止孔とを含み、前記ランプハウスが前記保持姿勢および前記反転姿勢のいずれにあっても、前記係止爪と前記係止孔との相対的な位置関係が不変であることを特徴とする請求項１から３のいずれかに記載の遊技機。
【請求項５】  前記遊技機本体は、遊技を実行するための遊技盤ユニットと、この遊技盤ユニットを脱着可能に支持する基枠とを含み、
前記係止手段は、前記遊技盤ユニットに対して前記ランプハウスを係止可能であることを特徴とする請求項１から４のいずれかに記載の遊技機。
【請求項６】  遊技機本体に脱着可能に設けられ、所定の遊技内容を実施するための遊技盤ユニットと、
前記遊技機本体の前面に取り付けられて前記遊技盤ユニットを覆い、前記遊技盤ユニットにより実施される遊技内容に対応した情報が所定の配列で付された光透過性の表示板と、
前記表示板の背後から光をあてて特定の情報を照らし出すランプを収容し、かつ、前記表示板に付された情報の配列に合わせて前記ランプを配列させるランプハウスと、
前記ランプハウスを前記遊技盤ユニットに係止するとともに、遊技内容を変更するべく前記遊技盤ユニットが交換されたとき、その交換後の前記遊技盤ユニットに対する前記ランプハウスの係止態様を共通化させる汎用の係止手段と
を具備したことを特徴とする遊技機。
【請求項７】  遊技機本体の前面に設けられ、この前面にて開閉可能な前面枠と、
前記遊技機本体に脱着可能に設けられ、所定の遊技内容を実施するための遊技盤ユニットと、
前記前面枠に脱着可能に取り付けられ、前記遊技盤ユニットにより実施される遊技内容に対応した情報を有した表示板とを備え、
前記表示板は、遊技内容を変更するべく前記遊技盤ユニットが交換されるとき、その変更後の遊技内容に対応する情報を有したものに交換可能であることを特徴とする遊技機。
【請求項８】  前記前面枠に形成され、その背面から前記表示板を受け入れ可能な受入部と、
前記受入部に前記表示板が受け入れられた状態で、前記前面枠の背面から前記表示板に重なる当板と、
前記前面枠にねじ込み可能に取り付けられ、そのねじ込み状態で前記当板を前記前面枠に固定する一方、ねじ込みが解除された状態で前記当板とともに前記表示板の取り外しを許容する締結具と
をさらに備えたことを特徴とする請求項７に記載の遊技機。
【請求項９】  前記締結具は、手指によるねじ込み作業およびその解除作業が可能であることを特徴とする請求項８に記載の遊技機。
【手続補正書】
【提出日】平成17年11月10日(2005.11.10)
【手続補正１】
【補正対象書類名】明細書
【補正対象項目名】請求項１
【補正方法】変更
【補正の内容】
【請求項１】
メダルの載置が可能な面を有する面状軌道部が設けられるとともに、所定の軌道に沿って周回動する無端ベルトと、前記面状軌道部に向かってメダルを転がして案内する投入装置と、この投入装置から転がり出たメダルが到達すると入賞となるターゲットとを有し、遊技者が前記ターゲットを狙って前記投入装置からメダルを転がして発射する遊技を行う無端ベルト遊技装置であって、
前記投入装置には、メダルが投入されるメダル投入口と、
前記メダル投入口から投入されたメダルを前記面状軌道部の近傍まで案内する案内レールと、
前記投入装置に投入された前記メダルの、前記案内レールから前記面状軌道部への案内角度を変更する角度変更機構と、
が設けられ、
前記案内レールの上面から先端が突出するとともに、突出量がランダムに変更される折り畳み式レールを備えた機構、及び、前記案内レールの少なくとも一部を上下に駆動して当該案内レールの姿勢を変更させる機構の少なくとも一方が、前記角度変更機構として設けられていることを特徴とする無端ベルト遊技装置。
【手続補正２】
【補正対象書類名】明細書
【補正対象項目名】０００８
【補正方法】変更
【補正の内容】
【０００８】
【課題を解決するための手段】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
本発明は、メダルの載置が可能な面を有する面状軌道部(61)が設けられるとともに、所定の軌道に沿って周回動する無端ベルト(60)と、前記面状軌道部(61)に向かってメダルを転がして案内する投入装置(13)と、この投入装置(13)から転がり出たメダルが到達すると入賞となるターゲット(66)とを有し、遊技者が前記ターゲット(66)を狙って前記投入装置(13)からメダルを転がして発射する遊技を行う無端ベルト遊技装置(10)であって、投入装置(13)には、メダルが投入されるメダル投入口(13A )と、メダル投入口(13A )から投入されたメダルを前記面状軌道部(61)の近傍まで案内する案内レール(72)と、前記投入装置(13)に投入された前記メダルの、前記案内レール(72)から前記面状軌道部(61)への案内角度を変更する角度変更機構(80)とが設けられ、前記案内レール(72)の上面から先端が突出するとともに、突出量がランダムに変更される折り畳み式レールを備えた機構、及び、案内レール(72)の少なくとも一部を上下に駆動して当該案内レール(72)の姿勢を変更させる機構の少なくとも一方が前記角度変更機構(80)として設けられていることを特徴とする。
【手続補正３】
【補正対象書類名】明細書
【補正対象項目名】０００９
【補正方法】変更
【補正の内容】
【０００９】
ここで、角度変更機構としては、案内レール(72)の姿勢を常時変更するもの、或いは、メダルの接近を検出するメダル接近検出手段を備え、メダルの通過の際に瞬間的に案内レールの姿勢を変更させるもの等が採用できる。
【手続補正４】
【補正対象書類名】明細書
【補正対象項目名】００２７
【補正方法】変更
【補正の内容】
【００２７】
また、無端ベルト60上には、投入装置13から転がり出たメダルが到達すると入賞となるターゲットとして、任意の面積及び形状を有する当たり領域66が複数設定されるとともに表記されている。この当たり領域66の中に位置する検出ポイント65が、当たりポイント67となっている。そして、無端ベルト遊技装置10は、遊技者がターゲットである当たり領域66を狙って投入装置13からメダルを転がして発射する遊技を行うものであり、投入装置13により投入されたメダルが、フィールド面61上に倒れて当たりポイント67を覆うと、「当たり」となるように設定されている。
更に具体的に説明すると、図４において、投入装置13により投入されて、フィールド面61上に倒れたメダル70a 、70b がフィールド面61の終端縁から落下する際に、複数のメダル検出手段33に接触しても、後述するように、最初にメダル70a 、70b と接触したメダル検出手段33のみが接触を検出するようになっている。換言すれば、メダル70a 、70b を検出するにあたり、当該メダル70a 、70b が覆っていた複数の検出ポイント65のうち、最もフィールド面61の終端縁に近かった検出ポイント65のＸ座標に対応するメダル検出手段33のみが機能するようになっている。
【手続補正５】
【補正対象書類名】明細書
【補正対象項目名】００３１
【補正方法】変更
【補正の内容】
【００３１】
案内レール72は、メダルＭを自重で加速させるために、下り勾配が付けられた加速スロープ部73と、加速スロープ部73に回動可能に連結され、加速スロープ部73で加速されたメダルＭをジャンプさせるために、上り勾配の付与が可能となったジャンプ台部74とを備えたものである。
ここで、前述の角度変更機構80は、案内レール72の一部を上下に駆動して当該案内レール72の姿勢を変更させるものである。更に詳しく説明すると、角度変更機構80は、案内レール72と部分的に係合、換言すると、案内レール72の一部分であるジャンプ台部74と係合し、メダルＭの案内角度を変更するために、案内レール72の一部分の姿勢を変更、具体的には、ジャンプ台部74の仰角を変更するものとなっている。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技盤の前面側に配置された遊技領域規制枠によって遊技盤の盤面上に遊技領域が形成された弾球遊技機において、
反射板が内蔵され、かつレンズ成形された飾りを前記遊技領域に設け、
遊技状態に応じて光を照射する発光素子を前記遊技領域規制枠の内部に組み込むとともに、前記反射板に向けて光を照射するように前記発光素子を配置し、
前記遊技領域規制枠の前記光を受ける部分は透光性を有する材料で形成され、
前記発光素子から照射された光が前記反射板で反射して前記飾りが発光することを特徴とする弾球遊技機。
【請求項２】  前記遊技領域規制枠の前記光を受ける部分でその前記発光素子側の面を凸型にしたことを特徴とする請求項１記載の弾球遊技機。
【請求項３】  遊技に係る処理を実行する制御回路装置が背面に取り付けられ、前記遊技盤の背面側に配置される支持体と、
前記遊技領域規制部材の背面又は前記支持部材の前面の少なくともいずれか一方に設けられ、前記遊技領域規制部材と前記支持部材とを固定するロック機構とを備え、
前記ロック機構によって前記遊技領域規制部材と前記支持体とを固定すると前記遊技領域規制部材と前記支持部材との間で前記遊技盤が保持されることを特徴とする請求項１又は２記載の弾球遊技機。
【手続補正２】
【補正対象書類名】明細書
【補正対象項目名】０００４
【補正方法】変更
【補正の内容】
【０００４】
このようなパチンコ機は、新たな機種に切り替える場合、設置されていた古い機種と新たな機種とを機種ごとに全て入れ替えることが一般的である。しかし、パチンコ機を構成する部品には共通化可能な部品を多く用いているため、交換する必要のない部品まで交換することにより、結果的にコストアップの原因となる。このため、共通化可能な部品を備えた部分のみを遊技場に据え置きにし、新たに変更となる部分のみを入れ替えることが現在検討されている。この場合、交換部を遊技盤、及び液晶（ＬＣＤ）パネルユニット及び制御回路基板が組み付けられた球通路ユニットから構成された遊技盤ユニットから構成し、据え置き部を基本動作（パチンコ玉の打ち出しや入賞による払い出し）を行うための装置やスピーカー及びランプ等の演出装置を組み込んだ遊技機の本体枠から構成し、遊技盤ユニットのみを遊技機の本体枠に対して交換することで新機種への着脱交換が可能となる。
【特許文献１】特開平８−２４４０５号公報
【手続補正３】
【補正対象書類名】明細書
【補正対象項目名】０００６
【補正方法】変更
【補正の内容】
【０００６】
【課題を解決するための手段】
上記目的を達成するために、本発明の弾球遊技機は、遊技盤の前面側に配置された遊技領域規制枠によって遊技盤の盤面上に遊技領域が形成された弾球遊技機において、反射板が内蔵され、かつレンズ成形された飾りを前記遊技領域に設け、遊技状態に応じて光を照射する発光素子を前記遊技領域規制枠の内部に組み込むとともに、前記反射板に向けて光を照射するように前記発光素子を配置し、前記遊技領域規制枠の前記光を受ける部分は透光性を有する材料で形成され、前記発光素子から照射された光が前記反射板で反射して前記飾りが発光するものである。
【手続補正４】
【補正対象書類名】明細書
【補正対象項目名】０００７
【補正方法】変更
【補正の内容】
【０００７】
なお、前記遊技領域規制枠の前記光を受ける部分でその前記発光素子側の面を凸型にすることが好ましい。
【手続補正５】
【補正対象書類名】明細書
【補正対象項目名】０００８
【補正方法】変更
【補正の内容】
【０００８】
また、遊技に係る処理を実行する制御回路装置が背面に取り付けられ、前記遊技盤の背面側に配置される支持体と、前記遊技領域規制部材の背面又は前記支持部材の前面の少なくともいずれか一方に設けられ、前記遊技領域規制部材と前記支持部材とを固定するロック機構とを備え、前記ロック機構によって前記遊技領域規制部材と前記支持体とを固定すると前記遊技領域規制部材と前記支持部材との間で前記遊技盤が保持されることが好ましい。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
周波数のある出力信号を生成し、ダイ温度を有する装置であって、
第１の温度を検出する第１の温度センサと、
前記出力信号の周波数を第１の温度の関数として制御するための較正情報を格納する不揮発性メモリと、
前記出力信号を前記較正情報の関数として生成する半導体発振器と、
前記出力信号周波数を外部の受動素子の関数として選択する選択入力と
を備えることを特徴とする装置。
【請求項２】
前記第１の温度は、最初の温度から第２の温度への温度変化を表すことを特徴とする請求項１に記載の装置。
【請求項３】
前記較正情報を生成する較正回路を更に備えることを特徴とする請求項１に記載の装置。
【請求項４】
前記出力信号を受信し、位相固定信号を生成する位相ロックループ（ＰＬＬ）を更に備えることを特徴とする請求項１に記載の装置。
【請求項５】
前記出力信号周波数を動的に変化させる周波数制御装置を更に備えることを特徴とする請求項４に記載の装置。
【請求項６】
外部の温度を検出する第２の温度センサと、
前記ダイ温度を制御するヒーターと、
前記第１及び第２の温度センサに応答して前記ヒーターを制御するコントローラとを更に備えることを特徴とする請求項１に記載の装置。
【請求項７】
周波数のある出力信号を生成する能動シリコン発振器と、
前記半導体発振器の出力信号及び前記能動シリコン発振器の出力信号間の周波数エラーを決定する加算器と、
前記能動シリコン発振器の出力信号を周波数エラーの関数として制御するコントローラとを更に備えることを特徴とする請求項１に記載の装置。
【請求項８】
前記能動シリコン発振器は、供給電圧を有するリング発振器であり、
前記コントローラに応答して、周波数エラーが減少するように前記供給電圧を制御する調整器を更に備えることを特徴とする請求項７に記載の装置。
【請求項９】
周波数のある出力信号を生成する充電ポンプ発振器を更に備え、
前記充電ポンプ発振器と通信する半導体発振器は、前記充電ポンプ発振器の出力信号を調整することを特徴とする請求項１に記載の装置。
【請求項１０】
前記充電ポンプ発振器は、
前記充電ポンプ発振器の出力信号及び前記半導体発振器の出力信号間の位相エラーを決定する位相探知器と、
前記位相探知器と通信し、前記充電ポンプ発振器の出力信号を生成する電圧制御発振器とを備えることを特徴とする請求項９に記載の装置。
【請求項１１】
前記充電ポンプ発振器の出力信号及び水晶発振器エミュレータの出力信号のうちの１つを選択するマルチプレクサと、
前記マルチプレクサと通信し、出力信号を生成する位相ロックループとを更に備えることを特徴とする請求項１０に記載の装置。
【請求項１２】
前記コントローラは、能動半導体発振器の出力信号を前記第１の温度の関数として制御することを特徴とする請求項７に記載の装置。
【請求項１３】
前記調整器は、電圧と電流からなる群から選択される供給電圧の電気特徴を制御することを特徴とする請求項８に記載の装置。
【請求項１４】
出力周波数及びダイ温度を有する装置であって、
半導体ダイ上において、
ダイ温度を検出し、温度信号を生成する第１の温度センサと、
温度信号に応答してダイ温度を所定の動作温度に維持するヒーターと、
前記所定の動作温度を出力周波数と関連させる較正情報を格納する不揮発性メモリと、
前記出力周波数を較正情報の関数として生成する半導体発振器と、
前記出力周波数を外部の受動素子の関数として選択する選択入力と
を備えることを特徴とする装置。
【請求項１５】
前記第１の温度は、最初の温度から第２の温度への温度変化を表すことを特徴とする請求項１４に記載の装置。
【請求項１６】
前記ヒーターは、トランジスタ・ヒーターと電気抵抗ヒーターからなる群から選択されることを特徴とする請求項１４に記載の装置。
【請求項１７】
前記装置を含む絶縁パッケージを更に備えることを特徴とする請求項１４に記載の装置。
【請求項１８】
前記較正情報を生成する較正回路を更に備えることを特徴とする請求項１４に記載の装置。
【請求項１９】
周波数のある出力信号を生成する方法であって、
ダイ温度を有する半導体発振器を提供する段階と、
前記半導体発振器と関連した第１の温度を検出する段階と、
較正温度から第１の温度への温度変化を決定する段階と、
前記温度変化に基づいて周波数修正値を決定する段階と、
前記出力信号周波数を周波数修正値の関数として生成する段階と、
外部の温度を検出する段階と、
前記ダイ温度を外部の温度より大きい温度に調整する段階と
を含むことを特徴とする方法。
【請求項２０】
前記出力周波数をダイ温度の関数として制御するための較正情報を格納する段階を更に含むことを特徴とする請求項１９に記載の方法。
【請求項２１】
前記較正情報は、周波数修正値を含むことを特徴とする請求項２０に記載の方法。
【請求項２２】
前記較正情報を生成する段階を更に含むことを特徴とする請求項２１に記載の方法。
【請求項２３】
前記較正情報を生成する段階は、ダイ温度を検出する段階を含み、
前記周波数修正値を決定する段階は、出力信号周波数を所定の周波数に調整することを特徴とする請求項２２に記載の方法。
【請求項２４】
前記較正情報を生成する段階は、ダイ温度を制御する段階を更に含むことを特徴とする請求項２３に記載の方法。
【請求項２５】
ダイ温度を制御する段階を更に含み、
前記ダイ温度を制御する段階は、半導体発振器を加熱する段階を含むことを特徴とする請求項１９に記載の方法。
【請求項２６】
周波数を有する周期的な信号を生成する段階と、
周期的な信号を出力信号で調整する段階と、
半導体発振器を断続的にパワーダウンする段階とを更に含むことを特徴とする請求項１９に記載の方法。
【請求項２７】
前記調整する段階は、
前記出力信号と周期的な信号間の周波数エラーを決定する段階と、
前記周波数エラーを減らすために前記周期的な信号の周波数を制御する段階とを含むことを特徴とする請求項２６に記載の方法。
【請求項２８】
供給電圧を有する能動シリコン発振器を提供して周期的な信号を生成する段階と、
周波数エラーが減少するように前記供給電圧の電気特徴を制御する段階とを更に含むことを特徴とする請求項２７に記載の方法。
【請求項２９】
充電ポンプ発振器を提供して周期的な信号を生成する段階を更に含むことを特徴とする請求項２６に記載の方法。
【請求項３０】
前記周期的な信号と前記出力信号間の位相エラーを決定する段階を更に含むことを特徴とする請求項２９に記載の方法。
【請求項３１】
前記出力信号及び前記周期的な信号のうちの一つを選択する段階と、
前記出力信号及び前記周期的な信号のうち選択された一つの関数として位相固定信号を生成する段階とを更に含むことを特徴とする請求項３０に記載の方法。
【請求項３２】
前記周期的な信号のための較正情報を提供する段階と、
半導体発振器がパワーダウンされるときに、第１の温度及び周期的な信号較正情報の関数として前記周期的な信号を制御する段階とを更に含むことを特徴とする請求項２６に記載の方法。
【請求項３３】
前記供給電圧の電気特徴は、電圧と電流からなる群から選択されることを特徴とする請求項２８に記載の方法。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】ＰＴＤ及びＭＩＴＦ阻害活性を有するＭＩＴＦ変異体から構成される融合蛋白質。
【請求項２】ＭＩＴＦ阻害活性を有するＭＩＴＦ変異体が、ＭＩＴＦのｍｉ変異体、ＭＩＴＦのｗｈ変異体、ＭＩＴＦのＨＬＨ断片又はＭＩＴＦのＡタイプのＮ末領域（１−３０５）断片である請求項１に記載の融合蛋白質。
【請求項３】配列表の配列番号１１、１３、１５又は２３で示されるアミノ酸配列で表される請求項１に記載の融合蛋白質。
【請求項４】配列表の配列番号１１、１３、１５又は２３で示されるアミノ酸配列の１又は複数個のアミノ酸を置換、欠失、挿入又は付加してなり、かつその活性が配列表の配列番号１１、１３、１５又は２３で示されるアミノ酸配列の活性と同等であるアミノ酸配列で表される請求項１に記載の融合蛋白質。
【請求項５】請求項３に記載のアミノ酸配列をコードする塩基配列からなるＤＮＡ。
【請求項６】配列表の配列番号１２、１４、１６又は２４で示される塩基配列からなる請求項５に記載のＤＮＡ。
【請求項７】配列表の配列番号１２、１４、１６又は２４で示される塩基配列の１又は複数個の塩基を置換、欠失、挿入又は付加してなり、かつそのアミノ酸配列の活性が配列表の配列番号１１、１３、１５又は２３で示されるアミノ酸配列の活性と同等であるアミノ酸配列をコードする請求項５に記載のＤＮＡ。
【請求項８】請求項１に記載の融合蛋白質を有効成分とする、アレルギー、喘息、自己免疫疾患、肺線維症、癌、マストサイトーマ又はマストサイトーシスから選ばれる疾患の予防及び／又は治療剤。
【請求項９】請求項１に記載の融合蛋白質及び製剤学的に許容しうる担体を含む医薬組成物。
【請求項１０】請求項１に記載の融合蛋白質を有効成分とするマスト細胞の細胞死誘発剤。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  海藻類を実質的に水と接触させることなく加熱殺菌処理し、加熱殺菌した海藻類を実質的に水と接触させることなく冷却することを特徴とする海藻類の加工方法。
【請求項２】  海藻類がめかぶであることを特徴とする請求項１の加工方法。
【請求項３】  加熱殺菌が、通電加熱による加熱殺菌または多管式熱交換器による加熱殺菌であることを特徴とする請求項１または２に記載の加工方法。
【請求項４】  冷却が、冷水により冷却された二重冷却管を通過させることにより行われることを特徴とする請求項１〜３のいずれかに記載の加工方法。
【請求項５】  請求項１〜４のいずれかに記載の加工方法により得られる生食海藻類。
【請求項６】  海藻類を加熱殺菌処理し冷却する海藻食品の製造方法において、海藻類と接触する非水加熱媒体および非水冷却媒体を使用することを特徴とする海藻食品の製造方法。
【請求項７】  海藻類を実質的に水と接触させることなく加熱殺菌処理する手段と、加熱殺菌した海藻類を実質的に水と接触させることなく冷却する手段を有することを特徴とする海藻類の加工装置。
【請求項８】  加熱殺菌処理する手段が、海藻類を管路内に連続的に案内しつつ前記管路内でジュール熱により加熱する手段であることを特徴とする請求項７に記載の装置。
【請求項９】  加熱殺菌が熱交換器を用いることを特徴とする請求項８記載の装置。
【請求項１０】  熱交換器が多管式熱交換器であることを特徴とする請求項９記載の装置。
【請求項１１】  冷却が冷却機を用いることを特徴とする請求項７記載の装置。
【請求項１２】  冷却機が二重冷却管であることを特徴とする請求項１１記載の装置。
【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】
被検体の撮影部位に静磁場を発生させる静磁場発生手段と、前記撮影部位に傾斜磁場を発生させる傾斜磁場コイルと、前記撮影部位に高周波磁場を照射する高周波磁場照射コイルと、前記高周波磁場照射コイルに駆動電流を供給する高周波磁場電源と、前記撮影部位より発生された核磁気共鳴信号を検出する高周波磁場受信コイルと、前記高周波磁場受信コイルで受信した受信信号から得られる情報をもとに画像を再構成する再構成手段と、前記画像を表示する表示手段とからなる磁気共鳴イメージング装置において、
前記高周波磁場照射コイルは、第１の高周波磁場照射コイルと第２の高周波磁場照射コイルとを含む複数の高周波磁場照射コイルから成り、
前記第１の高周波磁場照射コイルは、前記第２の高周波磁場照射コイルよりも電力効率が良く、
前記第２の高周波磁場照射コイルは、前記第１の高周波磁場照射コイルよりも磁場均一度が良く、
前記複数の高周波磁場照射コイルと、前記高周波磁場電源との接続の選択を切り替える手段を備えたことを特徴とする磁気共鳴イメージング装置。
【請求項２】
請求項１記載の磁気共鳴イメージング装置において、前記切り替え手段は、
スピンエコー法を用いた撮影の場合には、前記第１の高周波磁場照射コイルと前記高周波磁場電源とを接続し、
グラディエントエコー法を用いた撮影の場合には、前記第２の高周波磁場照射コイルと前記高周波磁場電源とを接続することを特徴とする磁気共鳴イメージング装置。
【手続補正２】
【補正対象書類名】明細書
【補正対象項目名】００１１
【補正方法】変更
【補正の内容】
【００１１】
【課題を解決するための手段】
上記目的は、被検体の撮影部位に静磁場を発生させる静磁場発生手段と、前記撮影部位に傾斜磁場を発生させる傾斜磁場コイルと、前記撮影部位に高周波磁場を照射する高周波磁場照射コイルと、前記高周波磁場照射コイルに駆動電流を供給する高周波磁場電源と、前記撮影部位より発生された核磁気共鳴信号を検出する高周波磁場受信コイルと、前記高周波磁場受信コイルで受信した受信信号から得られる情報をもとに画像を再構成する再構成手段と、前記画像を表示する表示手段とからなる磁気共鳴イメージング装置において、前記高周波磁場照射コイルは、第１の高周波磁場照射コイルと第２の高周波磁場照射コイルとを含む複数の高周波磁場照射コイルから成り、前記第１の高周波磁場照射コイルは、前記第２の高周波磁場照射コイルよりも電力効率が良く、前記第２の高周波磁場照射コイルは、前記第１の高周波磁場照射コイルよりも磁場均一度が良く、前記複数の高周波磁場照射コイルと、前記高周波磁場電源との接続の選択を切り替える手段を備えたことを特徴とする磁気共鳴イメージング装置によって達成される。
【手続補正３】
【補正対象書類名】明細書
【補正対象項目名】００１２
【補正方法】変更
【補正の内容】
【００１２】
また、前記切り替え手段は、スピンエコー法を用いた撮影の場合には、前記第１の高周波磁場照射コイルと前記高周波磁場電源とを接続し、グラディエントエコー法を用いた撮影の場合には、前記第２の高周波磁場照射コイルと前記高周波磁場電源とを接続することを特徴とする磁気共鳴イメージング装置によって達成される。
【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】
被検体にＸ線を照射するＸ線源と、
前記被検体からの透過Ｘ線を画像データとして出力するＸ線平面検出器と、
前記Ｘ線平面検出器から出力される画像データを記憶する画像記憶手段と、
事前に測定した暗電流情報を記憶する暗電流情報記憶手段と、
Ｘ線非照射時に前記Ｘ線平面検出器から出力される画像データである暗電流画像データに基づいて、前記暗電流情報記憶手段に記憶されている暗電流情報を基準とした場合の暗電流の増加量を算出する暗電流増加量算出手段と、
前記画像記憶手段に記憶されている画像データに対し、前記暗電流増加量算出手段により算出された暗電流の増加量と前記暗電流情報とに基づいて暗電流補正を施す暗電流補正手段と、
を備えることを特徴とするＸ線画像診断装置。
【請求項２】
予め定められた時間間隔で暗電流画像データを取得し、記憶する暗電流画像記憶手段を更に備え、
前記暗電流情報記憶手段は、前記暗電流画像記憶手段に記憶されている暗電流画像データから暗電流情報を算出して記憶する、
ことを特徴とする請求項１に記載のＸ線画像診断装置。
【請求項３】
前記暗電流増加量算出手段により算出された暗電流の増加量に基づいて前記暗電流情報記憶手段に記憶されている暗電流情報を更新する暗電流情報更新手段を更に備える、
ことを特徴とする請求項１又は２に記載のＸ線画像診断装置。
【請求項４】
前記画像記憶手段は、前記Ｘ線平面検出器から出力される画像データを各画素毎に記憶し、
前記暗電流情報記憶手段は、各画素毎の暗電流情報を記憶し、
前記暗電流補正手段は、前記各画素毎の画像データに対し、前記暗電流増加量算出手段により算出された暗電流の増加量と前記各画素毎の暗電流情報とに基づいて暗電流補正を施す、
ことを備えることを特徴とする請求項１乃至３のいずれかに記載のＸ線画像診断装置。
【請求項５】
前記暗電流画像記憶手段は、各画素毎の暗電流画像データを記憶し、
前記暗電流増加量算出手段は、前記暗電流画像記憶手段に記憶されている各画素毎の暗電流画像データの平均値から前記暗電流情報記憶手段に記憶されている各画素毎の暗電流情報の平均値を減ずることにより暗電流の増加量を算出することを特徴とする請求項４に記載のＸ線画像診断装置。
【手続補正２】
【補正対象書類名】明細書
【補正対象項目名】０００８
【補正方法】変更
【補正の内容】
【０００８】
【課題を解決するための手段】  
上記目的を達成するために、請求項１に記載された本発明のＸ線画像診断装置は、被検体にＸ線を照射するＸ線源と、前記被検体からの透過Ｘ線を画像データとして出力するＸ線平面検出器と、前記Ｘ線平面検出器から出力される画像データを記憶する画像記憶手段と、事前に測定した暗電流情報を記憶する暗電流情報記憶手段と、Ｘ線非照射時に前記Ｘ線平面検出器から出力される画像データである暗電流画像データに基づいて、前記暗電流情報記憶手段に記憶されている暗電流情報を基準とした場合の暗電流の増加量を算出する暗電流増加量算出手段と、前記画像記憶手段に記憶されている画像データに対し、前記暗電流増加量算出手段により算出された暗電流の増加量と前記暗電流情報とに基づいて暗電流補正を施す暗電流補正手段と、を備えることを特徴としている。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
通信網を介して通信を行う情報機器であって、
サービスが休止されている状態で接続要求があると該情報機器の個人データを削除する手段
を有することを特徴とする情報機器。
【請求項２】
通信網を介して通信を行う情報機器であって、
サービスが休止されている状態で接続要求があると該情報機器の個人データを通信網に対して送信するとともに、該個人データを削除する手段
を有することを特徴とする情報機器。
【請求項３】
前記通信網から与えられる第１の暗号キーと前記情報機器に設定される第２の暗号キーとを使用して前記個人データを暗号化する機能を有することを特徴とする請求項２記載の情報機器。
【請求項４】
情報機器との通信を行う通信システムであって、
前記情報機器に対して接続休止させる指示を与えるとともに、該接続休止中に該情報機器からの接続要求があった場合に該情報機器の個人データ削除の指示を与える指示手段
を有することを特徴とする通信システム。
【請求項５】
情報機器との通信を行う通信システムであって、
前記情報機器に対して接続休止させる指示を与えるとともに、該接続休止中に該情報機器からの接続要求があった場合に該情報機器の個人データを受信するとともに、該情報機器の個人データ削除の指示を与える指示手段
を有することを特徴とする通信システム。
【請求項６】
前記通信網から与えられる第１の暗号キーと前記情報機器に設定される第２の暗号キーとを使用して前記個人データを復号する機能を有することを特徴とする請求項５記載の通信システム。
【請求項７】
情報機器に対して通信網を介して制御を行うセンタであって、
前記情報機器が接続休止指示を受けている状況で、該情報機器からの接続要求があった場合に、該情報機器の個人データ削除の指示を与える指示手段
を有することを特徴とするセンタ。
【請求項８】
情報機器に対して通信網を介して制御を行うセンタであって、
前記情報機器が接続休止指示を受けている状況で、該情報機器からの接続要求があった場合に、該情報機器の個人データを受信して保持するとともに、該情報機器の個人データ削除の指示を与える指示手段
を有することを特徴とするセンタ。
【請求項９】
前記通信網から与えられる第１の暗号キーと前記情報機器に設定される第２の暗号キーとを使用して前記個人データを復号する機能を有することを特徴とする請求項８記載のセンタ。
【請求項１０】
通信網を介して通信を行う情報機器であって、
前記情報機器が前記通信網側に個人データを送信する際に、該通信網側から与えられる第１の暗号キーと該情報機器に設定される第２の暗号キーを使用して該個人データを暗号化する機能
を有することを特徴とする情報機器。
【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  ネットワークインターフェイスと、
ネットワーク上の他の端末に対して画像読取部の画像を送信する画像送信手段とを有し、
前記ネットワーク上の前記他の端末に対して前記画像読取部の画像を送信する場合、送信するファイルを暗号化し、暗号化した前記ファイルに暗号化属性およびサブ属性を付加することを特徴とするネットワーク対応型電子複合機。
【請求項２】  前記ファイルの暗号化および暗号を解くのに用いる暗号キーを、利用者制限を行うためのユーザコードから生成することを特徴とする請求項１記載のネットワーク対応型電子複合機。
【請求項３】  前記サブ属性は、前記暗号キーの種類を識別する情報であることを特徴とする請求項１または２記載のネットワーク対応型電子複合機。
【請求項４】  前記暗号キーの種類は、パブリックキーおよびプライベートーのいずれか一方であることを特徴とする請求項２または３に記載のネットワーク対応型電子複合機。
【請求項５】  同一ネットワーク上に接続されたネットワーク対応型電子複合機と他の端末間において、
ユーザが暗号化設定を行い、利用者制限を行うためのユーザコード、前記他の端末内の送信先フォルダ名およびファイル名を入力する入力ステップと、
ファイルに対しスキャン動作を行うスキャンステップと、
前記ユーザコード入力の有無を判断する判断ステップと、
前記ユーザコードの入力があった場合、プライベートキーを生成する生成ステップと、
前記プライベートキーを用いて、スキャンした前記ファイルを暗号化する暗号化ステップと、
前記ファイルに暗号化のサブ属性を付加する付加ステップと、
前記他の端末内の前記送信先フォルダに前記ファイルを送信する送信ステップと、
を有することを特徴とする画像処理方法。
【請求項６】  前記暗号化のサブ属性は、プライベートキーで暗号化されたフラグを立てることを特徴とする請求項５記載の画像処理方法。
【請求項７】  前記ユーザコードの入力が無かった場合は、パブリックキーを用いて、スキャンしたファイルを暗号化し、暗号化のサブ属性を付加することを特徴とする請求項５記載の画像処理方法。
【請求項８】  前記暗号化のサブ属性は、パブリックキーで暗号化されたフラグを立てることを特徴とする請求項７記載の画像処理方法。
【手続補正２】
【補正対象書類名】明細書
【補正対象項目名】００１０
【補正方法】変更
【補正の内容】
【００１０】
【課題を解決するための手段】
かかる目的を達成するために、請求項１記載のネットワーク対応型電子複合機は、ネットワークインターフェイス（イーサネット相当のＬＡＮインターフェース）と、ネットワーク上の他の端末に対して画像読取部の画像を送信する画像送信手段とを有し、ネットワーク上の他の端末に対して画像読取部の画像を送信する場合、送信するファイルを暗号化し、暗号化した前記ファイルに暗号化属性およびサブ属性を付加することを特徴としている。
【手続補正３】
【補正対象書類名】明細書
【補正対象項目名】００２０
【補正方法】変更
【補正の内容】
【００２０】
スキャナ（１０５１）は、コピー動作やファクシミリの送信、スキャナ動作時に必要となるデータを読み取る画像読取部である。プロッタ（１０５２）は、コピー動作時の読み取り画像やファクシミリ受信したデータを紙に記録するための書き込み部である。ＭＯＤＥＭ（１０３１）は、ファクシミリ動作時に２値符号化された画情報を公衆回線に伝送可能とするための変調、および相手先からの変調された画情報の符号をもとの２値符号に戻すための復調を実現するモデムである。
【手続補正４】
【補正対象書類名】明細書
【補正対象項目名】００３９
【補正方法】変更
【補正の内容】
【００３９】
【発明の効果】
請求項１記載のネットワーク対応型電子複合機によれば、ネットワークインターフェイス（イーサネット相当のＬＡＮインターフェース）と、ネットワーク上の他の端末に対して画像読取部の画像を送信する画像送信手段とを有し、ネットワーク上の他の端末に対して前記画像読取部の画像を送信する場合、送信するファイルを暗号化し、暗号化した前記ファイルに暗号化属性およびサブ属性を付加することを特徴としているので、暗号が解読できるユーザ以外の他の人がファイルを閲覧することが不可能となり、セキュリティ管理を強化でき、また、ユーザがＰＣ側でどちらのキーで暗号化を解いたら良いのかを判断できる。
【手続補正５】
【補正対象書類名】明細書
【補正対象項目名】符号の説明
【補正方法】変更
【補正の内容】
【符号の説明】
１００  ネットワーク複合機
２００  ＰＣ（パーソナルコンピュータ）
１００１  ＣＰＵ
１００２  ＲＯＭ
１００３  ＲＡＭ
１０１１  画像蓄積メモリ
１０２１  ＬＡＮコントローラ
１０２２  トランス
１０３１  ＭＯＤＥＭ（モデム）
１０３２  ＮＣＵ
１０４１  圧縮／伸長器
１０５１  スキャナ（画像読取部の一例）
１０５２  プロッタ
１０６０  オペパネ
【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】複数アクセスポイントの制御方法及び制御プログラム、並びに、複数アクセスポイントを制御する制御装置
【手続補正２】
【補正対象書類名】明細書
【補正対象項目名】特許請求の範囲
【補正方法】変更
【補正の内容】
【特許請求の範囲】
【請求項１】  複数のステーションが接続可能な複数のアクセスポイントを制御するための制御方法であって、
前記複数のステーションが前記複数のアクセスポイントに対する接続が可能であると判定するための判定情報を、前記複数のアクセスポイントに割当て、
前記複数のアクセスポイントを予め定められた起動順位に従って起動させ、起動された前記アクセスポイントが前記判定情報を含む信号を前記複数のステーションの少なくともいずれかに対して送信し、
前記起動されたアクセスポイントに接続されたステーション数が前記起動されたアクセスポイントに接続可能なステーション数に一致するまで、前記複数のステーションのいずれかからの前記起動されたアクセスポイントへの前記送信に応じた接続要求を、前記起動されたアクセスポイントに受け付けさせる
ことを特徴とする制御方法。
【請求項２】  前記複数のアクセスポイントの起動は、既に起動された前記アクセスポイントにおいて、前記接続されたステーション数が前記接続可能なステーション数と一致した後に、前記起動順位に基づく次のアクセスポイントを起動することによって行われることを特徴とする請求項１に記載の制御方法。
【請求項３】  前記判定情報が、前記複数のアクセスポイントに与えられる識別子であって、前記判定情報を前記複数のステーションが記憶していることを特徴とする請求項１又は請求項２に記載の制御方法。
【請求項４】  前記判定情報が、前記複数のアクセスポイントに共通に与えられる情報であって、前記判別情報を前記複数のステーションが記憶していることを特徴とする請求項１又は請求項２に記載の制御方法。
【請求項５】  前記複数のアクセスポイントに対して電源を投入することにより、前記複数のアクセスポイントが起動されることを特徴とする請求項１乃至請求項４のいずれか１項に記載の制御方法。
【請求項６】  前記複数のアクセスポイントに対して動作クロック信号を入力することにより、前記複数のアクセスポイントが起動されることを特徴とする請求項１乃至請求項４のいずれか１項に記載の制御方法。
【請求項７】  請求項１乃至請求項６のいずれか１項に記載の制御方法をコンピュータに実行させるための制御プログラム。
【請求項８】  複数のステーションが接続可能な複数のアクセスポイントを制御するための制御装置であって、
前記複数のステーションが前記複数のアクセスポイントに対する接続が可能であると判定するための判定情報を、前記複数のアクセスポイントに割当てる手段と、
前記複数のアクセスポイントを予め定められた起動順位に従って起動させる手段と、
前記起動されたアクセスポイントに接続されたステーション数が前記起動されたアクセスポイントに接続可能なステーション数に一致するまで、前記複数のステーションのいずれかからの前記起動されたアクセスポイントへの前記起動されたアクセスポイントに受け付けさせるように制御する手段とを備え、
前記起動手段により起動された前記アクセスポイントが前記判定情報を含む信号を前記複数のステーションの少なくともいずれかに対して送信し、前記起動されたアクセスポイントへの前記複数のステーションのいずれかからの接続要求が前記信号の送信に基づくことを特徴とする制御装置。
【請求項９】  前記制御装置は、前記複数のアクセスポイントを一体に備えることを特徴とする請求項８に記載の制御装置。
【請求項１０】  前記制御装置は、前記複数のアクセスポイントと同一のネットワーク上に設置されることを特徴とする請求項８に記載の制御装置。